(57)【特許請求の範囲】
【請求項１】
基体と、
前記基体に開閉自在に軸支された扉体と、
前記扉体の自由端側に設けられ、前記基体に対する該扉体の開放を規制する施錠状態、もしくは、該基体に対する該扉体の開放を可能とする解錠状態に変位する錠ユニットと、
一端面に鍵穴が形成され、前記錠ユニットに設けられた固定面に固定手段を介して固定されるとともに、前記扉体が施錠状態にあるときに該鍵穴に挿入された鍵によって解錠操作がなされると、該解錠操作に連動して前記錠ユニットを施錠状態から解錠状態へと変位させるシリンダユニットと、
前記シリンダユニットの鍵穴を前記扉体の前面に露出させた状態で、該シリンダユニットを前記錠ユニットに固定する固定手段よりも該扉体の前面側に固定される装飾ユニットと、
を備え、
前記シリンダユニットは、前記錠ユニットの前記固定面に対して前記扉体の前面側に対向する被固定部を有し、該扉体の前面側から該被固定部に挿通された前記固定手段によって該固定面に固定され、
前記装飾ユニットは、
前記扉体に固定されるベース体と、
前記ベース体の前面側に固定され、前記シリンダユニットの鍵穴を露出させる貫通孔が形成された被覆面を有するカバー部材と、
を有し、
前記カバー部材を前記ベース体から取り除くと、前記シリンダユニットを前記錠ユニットに固定する固定手段の挿通方向の後端が露出し、該固定手段による固定を解除して該錠ユニットから該シリンダユニットを取り外し可能となることを特徴とする遊技機。
【請求項２】
前記カバー部材の前記被覆面には、前記ベース体に固定される固定部が設けられ、
前記カバー部材は、前記固定部が前記被覆面から切除されると、前記ベース体から取り外し可能となることを特徴とする請求項１記載の遊技機。
【請求項３】
前記固定部は前記被覆面の背面側に位置しており、該固定部が設けられた部分に対応する該被覆面の前面側には、前記カバー部材を前記ベース体から取り外す際に切除する部位を示す印が付されていることを特徴とする請求項２記載の遊技機。
【請求項４】
前記カバー部材には、前記固定手段の挿通方向の後端の前面に対向する突片が設けられ、該固定手段の挿通方向の後端が該突片によって前面から視認不可能となるように被覆されることを特徴とする請求項１〜３のいずれか１項に記載の遊技機。
【請求項５】
前記突片の前面の一部に対向して配され、前記カバー部材を前記ベース体から取り除く際に該突片に接触する対向部が設けられ、
前記突片は、前記対向部への接触により折れて前記カバー部材から脱落する強度関係を維持していることを特徴とする請求項４記載の遊技機。
【発明の詳細な説明】
【技術分野】
【０００１】
本発明は、基体に扉体が開閉自在に軸支された遊技機に関する。
【背景技術】
【０００２】
一般的な遊技機においては、遊技盤が固定される中枠や、遊技盤の前面に対向するガラス板が固定される前扉といった扉体が、ヒンジを介して枠体（基体）に開閉自在に取り付けられている。こうした扉体には、鍵穴を有するシリンダユニットが設けられており、この鍵穴に鍵を挿入して施錠操作や解錠操作を行うことで、錠ユニットが動作して枠体に対する扉体の施錠、解錠を行うことができるように構成されている。
【０００３】
また、前扉の前面側には、遊技機のイメージを向上させるべく、さまざまな装飾部品が設けられているが、上記のシリンダユニットの周囲には、例えば特許文献１に示されるように、シリンダユニットを被覆する鍵飾り部材が設けられている。こうした鍵飾り部材は、他の装飾部品と別体で構成されており、シリンダユニットが故障して扉体を開放することができなくなった際に、当該鍵飾り部材のみを専用の工具で破壊することで、故障したシリンダユニットを取り外し、新たなシリンダユニットに交換することができるようになっている。
【０００４】
具体的には、通常、シリンダユニットは錠ユニットにネジ止め等で固定されている。したがって、シリンダユニットが故障した場合には、鍵飾り部材を破壊して、シリンダユニットを錠ユニットに固定しているネジを露出させる。そして、隙間からドライバーを進入させてネジを取り外し、シリンダユニットを錠ユニットから取り外したら、新たなシリンダユニットを錠ユニットにネジ止めする。これにより、新たなシリンダユニットの鍵穴に鍵を挿入して解錠操作することで、扉体を開放することができる。
【０００５】
このように、専用の工具によって鍵飾り部材を破壊可能に構成することで、シリンダユニットが故障した場合にも扉体を開放することが可能となり、また、鍵飾り部材を他の装飾部品と別体で構成することで、修理、交換すべき部品を必要最低限にとどめることができる。
【先行技術文献】
【特許文献】
【０００６】
【特許文献１】特開２０００−１５７６９９号公報
【発明の概要】
【発明が解決しようとする課題】
【０００７】
上記のシリンダユニットの交換作業時には、シリンダユニットを錠ユニットに固定しているネジを取り外さなければならない。ところが、こうした交換作業は頻繁に行われるものではないため、作業者はネジの位置を把握していないのが通常であり、鍵飾り部材を必要以上に広範囲に破壊してしまい、シリンダユニットの交換作業に長時間を要するという課題がある。
【０００８】
また、鍵飾り部材は、緊急時には破壊できる必要がある一方で、通常は不正や悪戯によって破壊されないように、ある程度の強度を確保していることや、扉体や他の装飾部品等を損傷しないように破壊作業を行わなければならないといった理由から、シリンダユニットの交換作業は極めて煩雑になってしまうという課題がある。
【０００９】
そこで、本発明の目的は、シリンダユニットの交換作業を簡素化することができる遊技機を提供することである。
【課題を解決するための手段】
【００１０】
上記課題を解決するために、本発明の遊技機は、基体と、前記基体に開閉自在に軸支された扉体と、前記扉体の自由端側に設けられ、前記基体に対する該扉体の開放を規制する施錠状態、もしくは、該基体に対する該扉体の開放を可能とする解錠状態に変位する錠ユニットと、一端面に鍵穴が形成され、前記錠ユニットに設けられた固定面に固定手段を介して固定されるとともに、前記扉体が施錠状態にあるときに該鍵穴に挿入された鍵によって解錠操作がなされると、該解錠操作に連動して前記錠ユニットを施錠状態から解錠状態へと変位させるシリンダユニットと、前記シリンダユニットの鍵穴を前記扉体の前面に露出させた状態で、該シリンダユニットを前記錠ユニットに固定する固定手段よりも該扉体の前面側に固定される装飾ユニットと、を備え、前記シリンダユニットは、前記錠ユニットの前記固定面に対して前記扉体の前面側に対向する被固定部を有し、該扉体の前面側から該被固定部に挿通された前記固定手段によって該固定面に固定され、前記装飾ユニットは、前記扉体に固定されるベース体と、前記ベース体の前面側に固定され、前記シリンダユニットの鍵穴を露出させる貫通孔が形成された被覆面を有するカバー部材と、を有し、前記カバー部材を前記ベース体から取り除くと、前記シリンダユニットを前記錠ユニットに固定する固定手段の挿通方向の後端が露出し、該固定手段による固定を解除して該錠ユニットから該シリンダユニットを取り外し可能となることを特徴とする。
【００１１】
また、前記カバー部材の前記被覆面には、前記ベース体に固定される固定部が設けられ、前記カバー部材は、前記固定部が前記被覆面から切除されると、前記ベース体から取り外し可能となるとよい。
【００１２】
また、前記固定部は前記被覆面の背面側に位置しており、該固定部が設けられた部分に対応する該被覆面の前面側には、前記カバー部材を前記ベース体から取り外す際に切除する部位を示す印が付されているとよい。
【００１３】
また、前記カバー部材には、前記固定手段の挿通方向の後端の前面に対向する突片が設けられ、該固定手段の挿通方向の後端が該突片によって前面から視認不可能となるように被覆されるとよい。
【００１４】
また、前記突片の前面の一部に対向して配され、前記カバー部材を前記ベース体から取り除く際に該突片に接触する対向部が設けられ、前記突片は、前記対向部への接触により折れて前記カバー部材から脱落する強度関係を維持しているとよい。
【発明の効果】
【００１５】
本発明によれば、シリンダユニットの交換作業を簡素化することができる。
【図面の簡単な説明】
【００１６】
【図１】本実施形態における遊技機本体の開放状態を示す斜視図である。
【図２】中扉が外枠に閉じられた状態を示す正面図である。
【図３】遊技機本体の正面図である。
【図４】中扉を部分的に示す斜視図である。
【図５】中扉を部分的に示す分解斜視図である。
【図６】錠ユニットの斜視図である。
【図７】装飾ユニットの組み付け図である。
【図８】装飾ユニットの組み付け状態を示す中扉の正面図である。
【図９】シリンダユニットの交換手順を説明する図である。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
図１は、本実施形態における遊技機本体の開放状態を示す斜視図である。図１に示すように、遊技機本体１は、略矩形状に組まれた四辺によって囲繞空間が形成される外枠３と、この外枠３にヒンジを介して開閉自在に軸支され、不図示の遊技盤が保持される中扉５と、この中扉５と同様に、外枠３にヒンジを介して開閉自在に軸支され、ガラス製または樹脂製の透過板７が保持される前扉９と、を備えている。以下では、図中ＬＲ方向を遊技機本体１の幅方向とし、図中Ｆ方向を遊技機本体１の前面側または正面側とし、図中Ｂ方向を遊技機本体１の背面側として説明する。
【００１９】
本実施形態では、遊技機本体１における矢印Ｌ方向の端部にヒンジ機構が設けられていることから、矢印Ｒ方向の端部、すなわち、遊技機本体１の正面視で右端部が自由端となる。そして、中扉５および前扉９を外枠３に対して閉じると、外枠３、中扉５および前扉９が平行になり、遊技盤と透過板７とが所定の間隔を維持して平行に対面することとなる。
【００２０】
また、中扉５および前扉９は、外枠３に対して独立して開閉することが可能となっており、中扉５は、外枠３および前扉９よりも周長が小さく、外枠３に対して中扉５および前扉９が閉じられた状態では、中扉５が外枠３および前扉９内に収容され、当該中扉５を外部から視認することができなくなっている。
【００２１】
そして、図１に示すように、中扉５の自由端側には、遊技機本体１の正面に鍵穴１１ａを開口させたシリンダユニット１１が設けられており、中扉５および前扉９が外枠３に対して閉じられた状態で、鍵穴１１ａに鍵を挿入して解錠操作することで、中扉５および前扉９が外枠３に対して解錠されることとなる。なお、中扉５には、シリンダユニット１１の周囲を覆う装飾ユニットＤが設けられており、前扉９には、装飾ユニットＤに対向する部分に切り欠き９ａが形成されている。
【００２２】
図２は、中扉５が外枠３に閉じられた状態を示す正面図であり、図３は、遊技機本体１の正面図である。図２に示すように、中扉５の自由端側に位置する開放側側面部５ａには、外枠３に対する中扉５および前扉９の開放を規制する施錠状態、もしくは、外枠３に対する中扉５および前扉９の開放を可能とする解錠状態に変位する錠ユニット３１が設けられている。詳しくは後述するが、錠ユニット３１には上記のシリンダユニット１１がネジ止めされており、鍵穴１１ａに挿入された鍵の解錠操作に連動して、錠ユニット３１が施錠状態から解錠状態に変位する。
【００２３】
装飾ユニットＤは、錠ユニット３１よりも遊技機本体１の前面側に設けられており、シリンダユニット１１と錠ユニット３１とのネジ止め部を被覆している。そして、図３に示すように、外枠３に対して中扉５および前扉９が閉じられた状態では、前扉９の切り欠き９ａから、中扉５に設けられた装飾ユニットＤと、シリンダユニット１１の鍵穴１１ａとが正面側に露出する。これにより、遊技機本体１の正面側から鍵穴１１ａに鍵を挿入して解錠操作を行うことで、中扉５または前扉９を外枠３に対して開くことができる。
【００２４】
また、鍵穴１１ａを正面に露出させながらも、装飾ユニットＤによってシリンダユニット１１の周囲、特には、シリンダユニット１１と錠ユニット３１とのネジ止め部が被覆されているので、シリンダユニット１１や錠ユニット３１に対する不正行為を防止することができる。このように、装飾ユニットＤは、シリンダユニット１１や錠ユニット３１に対する不正行為を防止し、中扉５や前扉９が不正に開放されてしまうのを防ぐものである。
【００２５】
また、外枠３に対して中扉５および前扉９が閉じられた状態でシリンダユニット１１が故障し、鍵穴１１ａに挿入した鍵を操作しても、中扉５や前扉９を開放することができなくなってしまう場合がある。さらには、悪戯によって鍵穴１１ａが閉塞され、鍵穴１１ａに鍵を挿入することができなくなってしまうおそれもある。シリンダユニット１１の不具合によって遊技機本体１を開放することができなくなった場合には、既設のシリンダユニット１１を取り外して新たなシリンダユニット１１を取り付けることで、遊技機本体１を開放することができるようにしなければならない。
【００２６】
このように、遊技機本体１を開放できない状態でシリンダユニット１１を交換する場合には、装飾ユニットＤを破壊して、シリンダユニット１１を錠ユニット３１から取り外す。そして、新たなシリンダユニット１１を錠ユニット３１に取り付け、シリンダユニット１１の交換が完了したら、新規の装飾ユニットＤを中扉５に取り付けることで、遊技機本体１が元通りに修復されることとなる。したがって、装飾ユニットＤを他の装飾部品と別体とすることで、交換しなければならない部品を最小限に抑えることができる。
【００２７】
また、図３に示すように、前扉９の前面には、さまざまな装飾部品が設けられており、遊技機本体１が閉じられた状態では、前扉９の前面に設けられた装飾部品９ｂが装飾ユニットＤに近接して配置されている。そこで、本実施形態では、装飾ユニットＤを次のように構成することで、破壊作業を簡素化し、装飾ユニットＤを破壊する際に、他の部品を損傷させることがないようにしている。以下に、まず錠ユニット３１の構成について説明した後に、装飾ユニットＤの具体的な構成について詳述する。
【００２８】
図４は、中扉５を部分的に示す斜視図であり、図５は、中扉５を部分的に示す分解斜視図であり、図６は、錠ユニット３１の斜視図である。図４および図５では、中扉５の自由端側に位置する開放側側面部５ａ（図２参照）を省略しているが、錠ユニット３１は、開放側側面部５ａに固定されている。
【００２９】
すなわち、錠ユニット３１は、開放側側面部５ａに固定される固定プレート３２と、この固定プレート３２に対して鉛直方向にスライド自在に支持される第１スライド部材３３および第２スライド部材３４とを備えている。第１スライド部材３３および第２スライド部材３４は、それぞれ独立して可動するように固定プレート３２に支持されており、不図示のスプリングの弾性力によって、通常、図示の位置（施錠状態）に保持される。
【００３０】
また、固定プレート３２には、図６に示すように、シリンダユニット１１を固定するシリンダ固定面３２ａが突出して設けられている。シリンダユニット１１は、一端面に鍵穴１１ａが開口する錠部１１ｂと、この錠部１１ｂの他端側に設けられたフランジ部１１ｃと、を備えており、フランジ部１１ｃには一対のネジ挿通孔１１ｄが形成されている。一方、シリンダ固定面３２ａには、ネジ挿通孔１１ｄに対向する一対のネジ孔からなるネジ止め部３２ｂが設けられている。そして、シリンダ固定面３２ａの前面側から、ネジ挿通孔１１ｄに挿通させた固定手段であるネジＮをネジ止め部３２ｂに螺合することで、シリンダ固定面３２ａにシリンダユニット１１が固定される。
【００３１】
なお、シリンダ固定面３２ａには、シリンダユニット１１の鍵穴１１ａに挿入された鍵の解錠操作に連動するとともに、鍵の動作を上記の第１スライド部材３３または第２スライド部材３４に伝達する伝達部３２ｃが設けられている。詳細な説明は省略するが、遊技機本体１の解錠操作は、鍵穴１１ａに挿入した鍵を反時計回り方向に回転させる第１解除操作と、鍵穴１１ａに挿入した鍵を時計回り方向に回転させる第２解除操作との２通りある。
【００３２】
鍵穴１１ａに挿入した鍵を反時計回り方向に回転させる第１解除操作がなされると、鍵の回転動力が伝達部３２ｃを介して第１スライド部材３３に伝達され、第１スライド部材３３がスプリングの弾性力に抗して鉛直上方にスライドし、第１スライド部材３３が施錠状態から解錠状態へと変位する。第１スライド部材３３には、固定プレート３２よりも遊技機本体１の前面側に突出する鉤部３３ａが設けられており、この鉤部３３ａが前扉９の背面に設けられた係止部に係止されることで、前扉９の中扉５に対する開放が規制されている。そして、上記のように、第１スライド部材３３が施錠状態から解錠状態へと変位すると、鉤部３３ａと係止部との係止関係が解除され、前扉９を外枠３および中扉５に対して開放することが可能となる。
【００３３】
一方、鍵穴１１ａに挿入した鍵を時計回り方向に回転させる第２解除操作がなされると、この鍵の回転動力が伝達部３２ｃを介して第２スライド部材３４に伝達され、第２スライド部材３４がスプリングの弾性力に抗して鉛直下方にスライドし、第２スライド部材３４が施錠状態から解錠状態へと変位する。第２スライド部材３４には、固定プレート３２よりも遊技機本体１の背面側に突出する鉤部３４ａが設けられており、この鉤部３４ａが外枠３の前面に設けられた係止部に係止されることで、中扉５の外枠３に対する開放が規制されている。そして、上記のように、第２スライド部材３４が施錠状態から解錠状態へと変位すると、鉤部３４ａと係止部との係止関係が解除され、中扉５を外枠３に対して開放することが可能となる。
【００３４】
なお、第１解除操作がなされた場合には、第２スライド部材３４は施錠状態に維持されていることから、中扉５は外枠３に対して閉じられた状態に維持され、前扉９の開放のみが許容されることとなる。また、第２解除操作がなされた場合には、第１スライド部材３３は施錠状態に維持されていることから、前扉９は中扉５に対して閉じられた状態に維持され、前扉９と中扉５とが一体となって外枠３から開放可能となる。
【００３５】
上記の構成からなる錠ユニット３１が中扉５に組み付けられた状態では、シリンダユニット１１を錠ユニット３１に固定するネジＮが、装飾ユニットＤによって被覆される（図４参照）。以下に、装飾ユニットＤの構成について図７を用いて詳細に説明する。
【００３６】
図７は、装飾ユニットＤの組み付け図である。装飾ユニットＤは、シリンダユニット１１の鍵穴１１ａを中扉５（遊技機本体１）の前面に露出させた状態で、当該中扉５に固定される。このとき、装飾ユニットＤは、シリンダユニット１１を錠ユニット３１に固定するネジＮよりも、遊技機本体１の前面側に位置している。具体的に、装飾ユニットＤは、中扉５にネジｎを介して固定されるベース体５１と、このベース体５１の前面に固定されるカバー部材６１と、を備えて構成される。ベース体５１は、ネジｎによって中扉５に固定される固定面となる略矩形状の平面部５１ａと、この平面部５１ａから中扉５の前面側に起立する起立壁部５１ｂと、この起立壁部５１ｂに囲繞された空間内に設けられ、平面部５１ａよりも中扉５の前面側に位置するカバー当接面５１ｃと、を備えている。
【００３７】
カバー当接面５１ｃには、シリンダユニット１１の錠部１１ｂが挿通されるシリンダ挿通孔５２が形成されている。また、カバー当接面５１ｃは、段部５１ｃ１よりも外周側（起立壁部５１ｂ側）に位置する前段部５１ｃ２と、段部５１ｃ１よりも中心側（シリンダ挿通孔５２側）に位置する後段部５１ｃ３と、を有しており、前段部５１ｃ２が後段部５１ｃ３よりも中扉５の前面側に位置する段差形状となっている。なお、カバー当接面５１ｃには、シリンダ挿通孔５２に連続するとともに、シリンダ挿通孔５２から後段部５１ｃ３まで延在する一対の切り欠き部５３が設けられている。詳しくは後述するが、この切り欠き部５３は、ベース体５１が中扉５に固定された状態で、シリンダユニット１１を錠ユニット３１に固定するためのネジＮのネジ頭（ネジ止め部３２ｂ）に対向する部分に形成されている。
【００３８】
また、ベース体５１には、カバー当接面５１ｃから中扉５の前面側に突出する接触面５４が設けられており、この接触面５４に、ネジｎを挿通するネジ挿通孔５４ａが形成されている。
【００３９】
一方、カバー部材６１は、シリンダユニット１１の鍵穴１１ａを露出させる貫通孔６２が形成された被覆面６１ａと、この被覆面６１ａから中扉５の背面側に立設される側面部６１ｂと、を有している。カバー部材６１は、側面部６１ｂにおける中扉５の背面側の端部が、ベース体５１の後段部５１ｃ３に面接触する寸法関係を維持している。また、被覆面６１ａの背面には、ベース体５１の接触面５４に形成されたネジ挿通孔５４ａに対向するボスからなる固定部６３が形成されている。この固定部６３は、カバー部材６１をベース体５１に固定するものであり、ベース体５１の背面側からネジ挿通孔５４ａにネジｎを挿通させ、その先端を固定部６３に螺合させることで、カバー部材６１がベース体５１に固定されることとなる。
【００４０】
図８は、装飾ユニットＤの組み付け状態を示す中扉５の正面図である。図７および図８に示すように、カバー部材６１には、当該カバー部材６１がベース体５１に固定された状態で、ベース体５１の切り欠き部５３内に位置する突片６４が設けられている。この突片６４は、カバー部材６１の側面部６１ｂから外方に突出するように、側面部６１ｂの突出先端部に設けられている。上述したように、切り欠き部５３は、シリンダユニット１１を錠ユニット３１に固定するためのネジＮに対向する部分に形成されている。したがって、突片６４は、ネジＮの前面に対向して位置することとなり、ネジＮは、突片６４によって遊技機本体１の前面側から視認不可能となるように被覆されることとなる。なお、この突片６４と側面部６１ｂとの接合部分には切断溝が形成されており、突片６４に対してある程度の外力が作用した際に、突片６４が切断溝で折られて、カバー部材６１から脱落する強度関係を維持している。
【００４１】
次に、図９を用いてシリンダユニット１１の交換方法について説明する。
【００４２】
図９は、シリンダユニット１１の交換手順を説明する図である。なお、図９（ａ）、（ｂ）は、いずれも交換作業を開始する前の状態を示しているが、ここでは理解を容易にするため、図９（ａ）に前扉９を省略した状態を示している。図９（ａ）、（ｂ）に示すように、遊技機本体１が閉じられた状態、すなわち、中扉５および前扉９が外枠３に対して閉じられた状態では、中扉５に設けられた装飾ユニットＤが前扉９の切り欠き９ａに進入している。このとき、装飾ユニットＤのカバー部材６１における被覆面６１ａが、前扉９の前面に設けられた装飾部品９ｂと大凡面一となっている。
【００４３】
また、中扉５と前扉９とが互いに閉じられて施錠された状態では、前扉９の装飾部品９ｂが、装飾ユニットＤのベース体５１のうち、平面部５１ａの前面、および、カバー当接面５１ｃにおける前段部５１ｃ２の前面全域を被覆するとともに、僅かな間隙を維持して被覆面６１ａの周囲を覆っている。したがって、この状態では、図９（ｂ）に示すとおり、カバー部材６１の側面部６１ｂから突出した突片６４の前面に前扉９（装飾部品９ｂ）が対向することとなり、前扉９（装飾部品９ｂ）によって突片６４が視認不可能となっている。なお、以下では、前扉９の装飾部品９ｂのうち、突片６４に対向する部分を対向部Ｘとして説明する。
【００４４】
例えば、中扉５および前扉９が外枠３に対して閉じられた状態でシリンダユニット１１が故障し、錠ユニット３１が施錠状態に保持されたままとなり、遊技機本体１を開放することができなくなったとする。この場合には、故障したシリンダユニット１１を取り外して新規のシリンダユニット１１を取り付けるべく、カバー部材６１をベース体５１から取り外す必要がある。しかしながら、カバー部材６１は、被覆面６１ａの背面側がベース体５１に固定されているため、カバー部材６１をベース体５１から取り外すためには、装飾ユニットＤを破壊しなければならない。そこで、装飾ユニットＤを破壊するにあたり、被覆面６１ａを工具等で切除することとなるが、ここではまず、図９（ｃ）に示すように、電動ドリル等の工具を用いて、カバー部材６１の被覆面６１ａに貫通孔ａを３つ形成する。
【００４５】
このとき、カバー部材６１の破壊部位を最小限に抑えるためには、貫通孔ａを、被覆面６１ａのうち背面側に固定部６３が設けられた部分（ベース体５１のうちカバー部材６１が固定される接触面５４）の周辺に開けることが望ましい。そこで、本実施形態では、図９（ａ）、（ｂ）に示すように、固定部６３が設けられた部分に対応する被覆面６１ａの前面側に、カバー部材６１をベース体５１から取り外す際に切除する部位、より詳細には、最初に貫通孔ａを開けるべき部位を示す印６５が付されている。したがって、カバー部材６１を破壊する際には、まず被覆面６１ａのうち印６５が付された部分に、貫通孔ａを３つ形成することとなる。
【００４６】
次に、図９（ｄ）に示すように、ニッパー等の工具を用いて３つの貫通孔ａを繋げるように被覆面６１ａを切除し、切除孔ｂを形成する。すると、カバー部材６１をベース体５１に固定するためのネジｎが螺合された固定部６３が被覆面６１ａから切断されるとともに、カバー部材６１とベース体５１との固定が解除され、カバー部材６１がベース体５１から取り外し可能となる。ただし、この状態では、図９（ａ）、（ｂ）に示すように、カバー部材６１の突片６４に、前扉９の対向部Ｘが対向している。そこで、図９（ｅ）に示すように、切除孔ｂにペンチ等の工具を挿入し、カバー部材６１の被覆面６１ａに対して、中扉５の自由端側を前面側に回動させるように力を作用させる。
【００４７】
上述したように、突片６４とカバー部材６１との接合部分には切断溝が形成されており、ある程度の外力が作用すると、突片６４が折れてカバー部材６１から脱落するように構成されている。したがって、カバー部材６１の被覆面６１ａに対して上記のとおりに外力が作用すると、カバー部材６１をベース体５１から取り除く際に突片６４に対向部Ｘが接触し、突片６４が折れて脱落する。そして、図９（ｆ）に示すように、カバー部材６１が中扉５から取り除かれると、シリンダユニット１１、および、このシリンダユニット１１を錠ユニット３１に固定するネジＮの一部が露出することとなる。
【００４８】
なお、ここでは、ネジＮのネジ頭の一部が、遊技機本体１の正面から視認可能な程度に露出しているが、ネジＮのネジ頭の全体が視認できるようにしてもよい。また、これとは逆に、ネジＮが、遊技機本体１の正面からは視認できない程度に、前扉９の背面に位置してもよい。いずれにしても、遊技機本体１の前面側から、正面もしくは斜め方向に切り欠き９ａを覗くことで、その位置を確認できる程度にネジＮが露出すればよい。
【００４９】
そして、このようにしてネジＮが露出したら、前扉９の切り欠き９ａからドライバーを進入させてネジＮの螺合を解除することで、シリンダユニット１１を錠ユニット３１から取り外すことができる。そして、新たなシリンダユニット１１を切り欠き９ａから進入させ、ネジＮを介してシリンダユニット１１を錠ユニット３１に取り付ければ、シリンダユニット１１の交換が完了する。シリンダユニット１１の交換が完了したら、シリンダユニット１１の鍵穴１１ａに鍵を挿入して解錠操作を行えば、遊技機本体１を開放することができる。
【００５０】
以上説明したように、本実施形態によれば、カバー部材６１のうち印６５が付された部分を切除するのみで、簡単にカバー部材６１をベース体５１から取り除くことができ、また、カバー部材６１を取り除くだけで、シリンダユニット１１を錠ユニット３１に固定するネジＮが露出する。したがって、工具等で破壊する部分が極めて狭くなり、また、ネジＮを探すために必要以上にカバー部材６１を破壊する必要もなくなることから、遊技機本体１が閉じられた状態でシリンダユニット１１の交換が必要となった場合の交換作業を簡素化することができる。また、破壊すべき部分が狭くなる等、カバー部材６１に対する破壊作業が簡素化されるので、前扉９の装飾部品９ｂ等、他の部品を損傷させてしまうおそれを低減することができる。
【００５１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５２】
例えば、上記実施形態では、突片６４の前面に対向する対向部Ｘが前扉９に設けられる場合について説明したが、対向部Ｘは必ずしも前扉９に設けなくともよい。また、対向部Ｘは、カバー部材６１をベース体５１から取り除く際に突片６４に接触して、突片６４をカバー部材６１から脱落させることができれば、突片６４の前面全域が対向部Ｘに対向していてもよいし、突片６４の一部が対向部Ｘに対向して配されてもよい。
【００５３】
なお、上記実施形態では、カバー部材６１の固定部６３が、ベース体５１にネジｎによって固定され、また、シリンダユニット１１を錠ユニット３１に固定する固定手段がネジＮで構成される場合について説明したが、これらは例えば接着剤等でもよく、その具体的な構成は特に限定されるものではない。
【００５４】
また、上記実施形態では、カバー部材６１に突片６４を設けることとし、突片６４が脱落することで、固定手段としてのネジＮが露出することとした。しかしながら、カバー部材６１をベース体５１から取り除くと、シリンダユニット１１を錠ユニット３１に固定する固定手段が露出する関係性を有していればよく、装飾ユニットＤの具体的な構成は上記実施形態に限定されるものではない。
【００５５】
また、上記実施形態では、基体としての外枠３に、扉体としての中扉５および前扉９が開閉自在に軸支される場合について説明したが、扉体は１つでもよく、また、扉体の構成や、扉体を軸支する基体の構成は適宜設計可能であることは言うまでもない。
【符号の説明】
【００５６】
３     …外枠（基体）
５     …中扉（扉体）
９     …前扉（扉体）
１１   …シリンダユニット
１１ａ  …鍵穴
３１   …錠ユニット
５１   …ベース体
６１   …カバー部材
６１ａ  …被覆面
６２   …貫通孔
６３   …固定部
６４   …突片
６５   …印
Ｄ     …装飾ユニット
Ｎ     …ネジ（固定手段）
Ｘ     …対向部
【要約】
【課題】シリンダユニットの交換作業を簡素化することができる遊技機を提供する。
【解決手段】外枠に開閉自在に軸支された中扉５および前扉９と、中扉および前扉の開放を規制する施錠状態、もしくは、中扉および前扉の開放を可能とする解錠状態に変位する錠ユニットと、一端面に鍵穴１１ａが形成され、錠ユニットにネジＮを介して固定されるとともに、鍵穴に挿入された鍵によって解錠操作がなされると、解錠操作に連動して錠ユニットを施錠状態から解錠状態へと変位させるシリンダユニット１１と、ネジＮよりも中扉の前面側に固定される装飾ユニットＤと、を備える。装飾ユニットは、中扉に固定されるベース体５１と、ベース体の前面側に固定されるカバー部材６１と、を有し、カバー部材をベース体から取り除くと、ネジＮが露出する。
【選択図】図９【図１】
0005451913.tif 000002
【図２】
0005451913.tif 000003
【図３】
0005451913.tif 000004
【図４】
0005451913.tif 000005
【図５】
0005451913.tif 000006
【図６】
0005451913.tif 000007
【図７】
0005451913.tif 000008
【図８】
0005451913.tif 000009
【図９】
0005451913.tif 000010